(57)【要約】【課題】人の手のみで端子カバーが開かれるのを規制しつつ、端子カバーの筐体へのねじ止めを不要にすること。【解決手段】配線器具１００は、筐体１と、端子カバー４と、引掛部５と、アクセス規制部６と、を備える。筐体１は、端子２を収容する。端子カバー４は、筐体１に取り付けられており、回転軸４２を中心に回転することで、閉位置と、開位置との間で移動可能である。引掛部５は、筐体１及び端子カバー４のうちの一方に設けられて、端子カバー４が閉位置にある状態において筐体１及び端子カバー４のうちの他方に引っ掛かることで、端子カバー４の開位置への移動を規制する。アクセス規制部６は、端子カバー４が閉位置にある状態において、引掛部５への人の手のアクセスを規制する。【選択図】図１
2020009642.tif 000002
【特許請求の範囲】
【請求項１】
電線が接続される端子を収容する筐体と、
前記筐体に取り付けられており、回転軸を中心に回転することで、前記端子を覆う閉位置と、前記端子を露出させる開位置との間で移動可能な端子カバーと、
前記筐体及び前記端子カバーのうちの一方に設けられて、前記端子カバーが前記閉位置にある状態において前記筐体及び前記端子カバーのうちの他方に引っ掛かることで、前記端子カバーの前記開位置への移動を規制する引掛部と、
前記端子カバーが前記閉位置にある状態において、前記引掛部への人の手のアクセスを規制するアクセス規制部と、を備える、
配線器具。
【請求項２】
前記引掛部は、前記回転軸と直交する方向において、前記端子カバーの両端部の間にある、
請求項１記載の配線器具。
【請求項３】
前記端子カバーは、前記引掛部と前記回転軸との間に設けられて、前記筐体に接することにより前記端子カバーの移動範囲を規制する開閉規制部を有する、
請求項１又は２に記載の配線器具。
【請求項４】
前記開閉規制部は、前記端子カバーが前記閉位置にある状態において、前記端子カバーにおける前記端子と対向する面から突出する突出部である、
請求項３記載の配線器具。
【請求項５】
前記アクセス規制部は、前記筐体及び前記端子カバーのうちの一方に設けられて、前記端子カバーが前記閉位置にある状態において、前記引掛部に対応する位置に形成された開口を含み、
前記開口は、前記端子カバーの前記開位置への移動の規制を解除するように前記引掛部を操作するための治具が挿入可能な寸法である、
請求項１〜４のいずれか１項に記載の配線器具。
【請求項６】
前記引掛部は、前記開口から挿入された前記治具を所定の操作位置へと案内する案内部を有する、
請求項５記載の配線器具。
【請求項７】
前記端子カバーは、前記筐体と対向する部位に設けられて、人の手の爪が引っ掛かる操作部を有する、
請求項１〜６のいずれか１項に記載の配線器具。
【請求項８】
請求項１〜７のいずれか１項に記載の配線器具であって、
設定された時刻に基づいて電源から負荷への電力の供給状態を切り替える機能を備える、
タイムスイッチ。
【請求項９】
電線が接続される端子を収容する筐体に取り付けられて、回転軸を中心に回転することで、前記端子を覆う閉位置と、前記端子を露出させる開位置との間で移動可能なカバー本体と、
前記カバー本体が前記閉位置にある状態において前記筐体に引っ掛かることで、前記カバー本体の前記開位置への移動を規制する引掛部と、
前記カバー本体が前記閉位置にある状態において、前記引掛部への人の手のアクセスを規制するアクセス規制部と、を備える、
端子カバー。
【発明の詳細な説明】
【技術分野】
【０００１】
本開示は、一般に配線器具、タイムスイッチ、及び端子カバーに関する。より詳細には、本開示は、電線が接続される端子を覆う端子カバーを有する配線器具、タイムスイッチ、及び端子カバーに関する。
【背景技術】
【０００２】
特許文献１には、電源と電気機器とを電気的に接続する経路上に設置され、電源から電気機器への給電が開始される時刻、及び電源から電気機器への給電が停止される時刻を管理するタイムスイッチが開示されている。このタイムスイッチは、電源と接続される電線である電源用配線、及び電気機器と接続される電線である機器用配線が接続される端子群を備える。端子群は、蓋に覆われた状態で、蓋をケースにねじ止めすることで、ケースに収容されている。
【先行技術文献】
【特許文献】
【０００３】
【特許文献１】特開２０１６−１２６８６２号公報
【発明の概要】
【発明が解決しようとする課題】
【０００４】
特許文献１に記載のタイムスイッチ（配線器具）では、人の手のみで蓋（端子カバー）が開かれるのを規制しつつ、端子群（端子）を端子カバーで覆った状態を維持するために、端子カバーのケース（筐体）へのねじ止めを必要とする。このため、この配線器具では、端子カバーを開く際に、治具を用いてねじを取り外す必要があり、ねじが端子カバーから脱落する可能性があった。
【０００５】
本開示は、人の手のみで端子カバーが開かれるのを規制しつつ、端子カバーの筐体へのねじ止めが不要になる配線器具、タイムスイッチ、及び端子カバーを提供することを目的とする。
【課題を解決するための手段】
【０００６】
本開示の一態様に係る配線器具は、筐体と、端子カバーと、引掛部と、アクセス規制部と、を備える。前記筐体は、電線が接続される端子を収容する。前記端子カバーは、前記筐体に取り付けられており、回転軸を中心に回転することで、前記端子を覆う閉位置と、前記端子を露出させる開位置との間で移動可能である。前記引掛部は、前記筐体及び前記端子カバーのうちの一方に設けられて、前記端子カバーが前記閉位置にある状態において前記筐体及び前記端子カバーのうちの他方に引っ掛かることで、前記端子カバーの前記開位置への移動を規制する。前記アクセス規制部は、前記端子カバーが前記閉位置にある状態において、前記引掛部への人の手のアクセスを規制する。
【０００７】
本開示の一態様に係るタイムスイッチは、上記の配線器具であって、設定された時刻に基づいて電源から負荷への電力の供給状態を切り替える機能を備える。
【０００８】
本開示の一態様に係る端子カバーは、カバー本体と、引掛部と、アクセス規制部と、を備える。前記カバー本体は、電線が接続される端子を収容する筐体に取り付けられて、回転軸を中心に回転することで、前記端子を覆う閉位置と、前記端子を露出させる開位置との間で移動可能である。前記引掛部は、前記カバー本体が前記閉位置にある状態において前記筐体に引っ掛かることで、前記カバー本体の前記開位置への移動を規制する。前記アクセス規制部は、前記カバー本体が前記閉位置にある状態において、前記引掛部への人の手のアクセスを規制する。
【発明の効果】
【０００９】
本開示は、人の手のみで端子カバーが開かれるのを規制しつつ、端子カバーの筐体へのねじ止めが不要になる、という利点がある。
【図面の簡単な説明】
【００１０】
【図１】図１は、本開示の一実施形態に係る配線器具において、端子カバーが開位置にある場合の斜視図である。
【図２】図２は、同上の配線器具において、端子カバーが閉位置にある場合の斜視図である。
【図３】図３Ａは、同上の配線器具において、端子カバーが開位置にある場合の正面図である。図３Ｂは、図３ＡのＸ１−Ｘ１線断面図である。
【図４】図４Ａは、同上の配線器具において、端子カバーが閉位置にある場合の要部断面図である。図４Ｂは、同上の配線器具において、端子カバーの開口に治具を挿入している状態を示す要部断面図である。図４Ｃは、図４Ｂの一点鎖線で囲まれた領域を拡大した断面図である。
【図５】図５Ａは、本開示の一実施形態の第１変形例に係る配線器具において、端子カバーが閉位置にある場合の要部断面図である。図５Ｂは、同上の配線器具において、端子カバーの開口に治具を挿入している状態を示す要部断面図である。
【図６】図６は、本開示の一実施形態の第２変形例に係る配線器具において、端子カバーが閉位置にある場合の要部断面図である。
【発明を実施するための形態】
【００１１】
（１）概要
本実施形態の配線器具１００は、図１に示すように、筐体１と、端子カバー４と、引掛部５と、アクセス規制部６と、を備えている。本実施形態では、配線器具１００は、タイムスイッチである。タイムスイッチは、設定された時刻に基づいて電源から負荷への電力の供給状態を切り替える機能を備えている。例えば、タイムスイッチに負荷としてエアコンディショナが電気的に接続されていると仮定する。この場合、タイムスイッチでは、月曜日から金曜日までの各日において、午前９時から午後５時まではエアコンディショナを運転し、それ以外の時間帯ではエアコンディショナを停止する、といった設定が可能である。以下、特に断りのない限り、「配線器具１００」を「タイムスイッチ１００」という。
【００１２】
筐体１は、電線が接続される端子２を収容する。本実施形態では、筐体１は、複数（ここでは、４つ）の端子２を有する端子台３を収容している。各端子２は、筐体１に端子カバー４が取り付けられていない状態においては、筐体１から露出する。
【００１３】
端子カバー４は、筐体１に取り付けられており、回転軸４２を中心に回転することで、閉位置と開位置との間で移動可能である。言い換えれば、端子カバー４は、ヒンジ構造により、開位置と閉位置との間で回転可能である。閉位置は、端子２を覆う位置である。端子カバー４が閉位置にある場合、端子２は、電線を端子２に接続する作業を行えない状態、つまり、人の手により触れることのできない状態にある。開位置は、端子２を露出させる位置である。端子カバー４が開位置にある場合、端子２は、電線を端子２に接続する作業を行える状態、つまり、人の手により触れることのできる状態にある。
【００１４】
引掛部５は、筐体１及び端子カバー４のうちの一方に設けられる。本実施形態では、引掛部５は、端子カバー４に設けられている爪４４（後述する）である。引掛部５は、端子カバー４が閉位置にある状態において、筐体１及び端子カバー４のうちの他方に引っ掛かることで、端子カバー４の開位置への移動を規制する。本実施形態では、引掛部５は、端子カバー４が閉位置にある状態において、筐体１に引っ掛かる。つまり、端子カバー４が閉位置にある状態においては、人の手のみで端子カバー４を開位置へと移動させようとしても、引掛部５が筐体１に引っ掛かることで、端子カバー４を開位置へと移動させることができないようになっている。
【００１５】
アクセス規制部６は、端子カバー４が閉位置にある状態において、引掛部５への人の手のアクセスを規制する。本実施形態では、アクセス規制部６は、端子カバー４に設けられた開口４３（後述する）を含んでいる。つまり、引掛部５による端子カバー４の開位置への移動の規制を解除するには、引掛部５を動かす必要がある。本実施形態では、開口４３を通して引掛部５へアクセスできるようになっているが、開口４３が人の手の一部（例えば、指）の通らない寸法に設定されているため、人の手のみで引掛部５へアクセスすることができないようになっている。
【００１６】
上述のように、本実施形態では、引掛部５を備えているので、端子カバー４を筐体１へねじ止めしなくとも、端子カバー４の開位置への移動を規制することができる。また、本実施形態では、アクセス規制部６を備えているので、引掛部５による規制の解除を人の手のみで行えないようになっている。つまり、本実施形態では、人の手のみで端子カバー４が開かれるのを規制しつつ、端子カバー４の筐体１へのねじ止めが不要になる、という利点がある。
【００１７】
（２）構成
以下、本開示の一実施形態に係るタイムスイッチ１００の構成について図１〜図４Ｂを用いて詳細に説明する。以下では、図１において、筐体１の長さ方向を第１方向（上下方向）とし、第１設定釦８１（後述する）から見て表示部８３（後述する）側を上方、その逆を下方として説明する。また、以下では、図１において、筐体１の幅方向を第２方向（左右方向）とし、端子２Ｃ，２Ｄ（後述する）から見て端子２Ａ，２Ｂ（後述する）側を左方、その逆を右方として説明する。また、以下では、図１において、筐体１の厚さ方向を第３方向（前後方向）とし、台部１４（後述する）から見て端子カバー４側を前方、その逆を後方として説明する。
【００１８】
なお、図１等には、これらの方向（上、下、左、右、前、後）を表す矢印を示すが、これらの矢印は、単に説明を補助するための目的で記載しているに過ぎず、実体を伴わない。また、上記の方向の規定は、本実施形態のタイムスイッチ１００の使用形態を限定する趣旨ではない。
【００１９】
本実施形態のタイムスイッチ１００は、図１〜図４Ｂに示すように、筐体１と、複数の端子２（ここでは、４つの端子２Ａ〜２Ｄ）を有する端子台３と、端子カバー４と、機能部８と、を備えている。
【００２０】
筐体１は、例えば樹脂製の箱体であって、図１に示すように、端子台３と、機能部８の一部と、を収容する。筐体１は、例えばねじ止めにより、壁などの造営材に取り付けられる。本実施形態では、筐体１の上半分に機能部８の一部が収容され、筐体１の下半分に端子台３が収容されている。筐体１の上半分の領域には、機能部８の一部としての複数の第１設定釦８１、２つの第２設定釦８２、表示部８３、及び電源スイッチ８４が前面１１から露出している。
【００２１】
筐体１の下半分の領域においては、前面１１から後ろ向きに窪んだ第１凹部１２と、筐体１の下壁において前端縁から下向きに窪んだ一対の第２凹部１３Ａ，１３Ｂと、が設けられている。第１凹部１２には、端子カバー４が閉位置にある状態において、端子カバー４のカバー本体４１（後述する）が収容される（図２参照）。一対の第２凹部１３Ａ，１３Ｂには、それぞれ端子カバー４が閉位置にある状態において、端子カバー４の一対の側片４５Ａ，４５Ｂが嵌まり込む（図２参照）。一対の側片４５Ａ，４５Ｂが一対の第２凹部１３Ａ，１３Ｂにそれぞれ嵌まり込んだ状態においては、一対の第２凹部１３Ａ，１３Ｂの空いている領域は、それぞれ端子２に接続された電線の引き出し口１０Ａ，１０Ｂとなっている（図２参照）。これら引き出し口１０Ａ，１０Ｂは、いずれも人の手が各端子２に接触できないように、人の手の指の通らない寸法に設定されている。
【００２２】
一対の第２凹部１３Ａ，１３Ｂの間は、端子台３の前面を覆う台部１４となっている。台部１４の前面には、前後方向に貫通する矩形状の開口１５が設けられている。開口１５は、端子カバー４の爪４４が通る寸法に設定されている。端子台３における開口１５と対向する部位は、中空になっている（図３Ｂ参照）。したがって、端子カバー４が閉位置にある状態においては、開口１５を通った爪４４が、端子台３の上記の中空部に収容される（図４Ａ参照）。
【００２３】
開口１５の内周縁には、他の部位よりも薄く形成された薄肉部１５１が設けられている（図３Ｂ参照）。薄肉部１５１には、端子カバー４が閉位置にある状態において、爪４４の突片４４４（後述する）が引っ掛かる。このように、本実施形態では、筐体１における爪４４（引掛部５）が引っ掛かる部位（薄肉部１５１）を極力薄くすることにより、爪４４のばね長を稼ぎ、爪４４の弾性を確保しやすくしている。
【００２４】
端子台３は、図１に示すように、複数の端子２として、一対の第１端子２Ａ，２Ｂと、一対の第２端子２Ｃ，２Ｄと、を有している。複数の端子２は、いずれも電線の一端に設けられた圧着端子をねじ止めするための端子ねじを有している。一対の第１端子２Ａ，２Ｂ及び一対の端子２Ｃ，２Ｄは、それぞれ筐体１内に収容されている制御回路に電気的に接続されている。一対の第１端子２Ａ，２Ｂの各々は、例えばエアコンディショナ等の電気機器（負荷）に電気的に接続される電線を接続するために用いられる。一対の第２端子２Ｃ，２Ｄの各々は、例えば商用電源などの外部の電源に電気的に接続される電線を接続するために用いられる。
【００２５】
これら４つの端子２Ａ〜２Ｄは、それぞれ４つの収容部３１Ａ〜３１Ｄに収容されている。４つの収容部３１Ａ〜３１Ｄは、いずれも端子台３の下部に設けられており、前面及び下面が開口している。このため、端子カバー４が開位置にある状態において、４つの収容部３１Ａ〜３１Ｄに収容された４つの端子２Ａ〜２Ｄは、いずれも筐体１から露出する。収容部３１Ａ，３１Ｂの間、及び収容部３１Ｃ，３１Ｄの間は、それぞれ隔壁３２Ａ，３２Ｂにより機械的かつ電気的に隔てられている。
【００２６】
端子カバー４は、例えば樹脂製であって、図１に示すように、カバー本体４１と、一対の軸受け４２Ａ，４２Ｂと、開口４３と、爪４４と、一対の側片４５Ａ，４５Ｂと、凹部４６と、突出部４７と、を有している。
【００２７】
カバー本体４１は、長さ方向が左右方向、幅方向が上下方向となる矩形板状である。カバー本体４１の長さ方向（左右方向）の両端部には、それぞれ一対の軸受け４２Ａ，４２Ｂが設けられている。筐体１において、一対の軸受け４２Ａ，４２Ｂとそれぞれ対向する部位には、一対の軸が設けられている。カバー本体４１（つまり、端子カバー４）は、一対の軸受け４２Ａ，４２Ｂにそれぞれ筐体１の一対の軸を嵌めることで、筐体１に取り付けられている。そして、カバー本体４１（端子カバー４）は、一対の軸受け部４２Ａ，４２Ｂ（言い換えれば、回転軸４２）を中心として、閉位置と開位置との間を回転可能に構成されている。
【００２８】
カバー本体４１の中央部には、厚さ方向に貫通する矩形状の開口４３が設けられている。開口４３は、端子カバー４が閉位置にある状態において、台部１４の開口１５と対向する位置に設けられている。したがって、端子カバー４が閉位置にある状態においては、開口１５を通った爪４４を、開口４３を通して見ることが可能である（図２参照）。開口４３は、人の手の指が通らない寸法に設定されている。また、開口４３は、治具Ｂ１（図４Ｂ参照）が挿入可能な寸法に設定されている。治具Ｂ１は、例えばマイナスドライバであって、端子カバー４の開位置への移動の規制を解除するように爪４４（引掛部５）を操作するために用いられる。本実施形態では、開口４３に治具Ｂ１の一部を通した状態で、治具Ｂ１の先端を爪４４に押し当てることにより、爪４４を操作することが可能である（図４Ｂ参照）。
【００２９】
爪４４は、図３Ｂに示すように、左右方向から見て、全体としてＵ字状である。爪４４は、第１片４４１と、第２片４４２と、繋ぎ片４４３と、を有している。
【００３０】
第１片４４１は、端子カバー４のカバー本体４１と一体に形成されている。第１片４４１は、カバー本体４１の厚さ方向に突出している。したがって、第１片４４１は、端子カバー４が閉位置にある場合、カバー本体４１から後ろ向きに突出することになる（図４Ａ参照）。
【００３１】
第２片４４２は、繋ぎ片４４３を介して第１片４４１と繋がっており、第１片４４１と隙間を空けて対向している。したがって、第２片４４２は、端子カバー４が閉位置にある場合、上下方向において第１片４４１と対向することになる。このように、本実施形態では、第１片４４１と第２片４４２との間に隙間を有している。このため、第２片４４２は、この隙間を埋めるように撓むため、隙間を有さない場合と比較して撓みやすい。
【００３２】
第２片４４２の長さ方向（図４Ａにおける前後方向）の中間部には、第１片４４１と反対側に向かって（図４Ａにおける下向きに）突出する突片４４４が一体に形成されている。突片４４４は、端子カバー４が閉位置にある状態において、筐体１の薄肉部１５１に引っ掛かる。また、第２片４４２において、突片４４４と繋ぎ片４４３との間は、傾斜面４４６となっている。
【００３３】
第２片４４２において、繋ぎ片４４３と繋がっている端部と反対側の端部（図４Ａにおける前端部）には、テーパ４４５が形成されている。テーパ４４５は、端子カバー４が閉位置にある状態においては、後方に向かうにつれて下向きに傾斜している。テーパ４４５は、開口４３に治具Ｂ１を挿入する際に、治具Ｂ１の先端を薄肉部１５１と第２片４４２との間の隙間Ｄ１へと案内する。つまり、爪４４（引掛部５）は、開口４３から挿入された治具Ｂ１を所定の操作位置（隙間Ｄ１）へと案内するテーパ４４５（案内部５１）を有している。
【００３４】
本実施形態では、端子カバー４が閉位置にある状態において、筐体１の薄肉部１５１に、開口１５を通った爪４４の突片４４４が引っ掛かることにより、端子カバー４の時計回りの回転（つまり、端子カバー４の閉位置から開位置への移動）を規制している。このように、本実施形態では、爪４４は、端子カバー４に設けられて、端子カバー４が閉位置にある状態において筐体１の一部（薄肉部１５１）に引っ掛かることで、端子カバー４の開位置への移動を規制する引掛部５として機能する。本実施形態では、爪４４（引掛部５）は、回転軸４２と直交する方向（つまり、カバー本体４１の幅方向）において、端子カバー４（カバー本体４１）の両端部の間にある。なお、本実施形態では、回転軸４２は、回転軸４２と直交する方向において、端子カバー４（カバー本体４１）の両端のうちの一端にある。
【００３５】
また、本実施形態では、端子カバー４が閉位置にある状態において、爪４４には、端子カバー４の開口４３を通してアクセスすることが可能である。一方、開口４３は、人の手の指の通らない寸法に設定されているため、人の手の指により爪４４に触れることができない。このように、本実施形態では、開口４３は、端子カバー４が閉位置にある状態において、引掛部５への人の手（指又は爪）のアクセスを規制するアクセス規制部６として機能している。言い換えれば、アクセス規制部６は、開口４３を含んでいる。開口４３は、端子カバー４に設けられて、端子カバー４が閉位置にある状態において、爪４４（引掛部５）に対応する位置に形成されている。
【００３６】
一対の側片４５Ａ，４５Ｂは、図１及び図２に示すように、いずれも矩形板状であって、カバー本体４１の幅方向の一端から、カバー本体４１の厚さ方向に沿った向きに突出している。したがって、一対の側片４５Ａ，４５Ｂは、いずれも端子カバー４が閉位置にある場合、後ろ向きに突出することになる。そして、既に述べたように、端子カバー４が閉位置にある状態においては、一対の側片４５Ａ，４５Ｂは、それぞれ筐体１の一対の第２凹部１３Ａ，１３Ｂに嵌まり込む（図２参照）。
【００３７】
図１に示すように、カバー本体４１の長さ方向（左右方向）において、一対の側片４５Ａ，４５Ｂの間には、凹部４６が設けられている。凹部４６には、図２に示すように、端子カバー４が閉位置にある状態においては、筐体１の台部１４が嵌まり込む。そして、端子カバー４が閉位置にある状態においては、凹部４６の前側の内壁と台部１４とは接触しておらず、これらの間には隙間Ａ１が設けられる。隙間Ａ１は、人の手の爪Ｃ１（図４Ｃ参照）を差し込むことが可能な寸法である。したがって、端子カバー４が閉位置にある状態においては、隙間Ａ１に爪Ｃ１を指し込むことにより、爪Ｃ１を凹部４６の前側の内壁に引掛けて、端子カバー４に開位置へ向かう向きの力を加えることが可能である（図４Ｃ参照）。つまり、端子カバー４は、筐体１（ここでは、台部１４）と対向する部位に設けられて、人の手の爪Ｃ１が引っ掛かる操作部４６１（凹部４６の前側の内壁）を有している。
【００３８】
カバー本体４１の下面には、厚さ方向に突出する円筒状の突出部４７が一体に形成されている。突出部４７は、カバー本体４１の幅方向（図２における上下方向）において、爪４４と一対の軸受け部４２Ａ，４２Ｂ（回転軸４２）との間に位置する。突出部４７は、図４Ａに示すように、端子カバー４が閉位置にある状態においては、後端が筐体１の台部１４の前面に接する。このため、端子カバー４を閉位置から台部１４へ向かう向きに更に押し込んだとしても、突出部４７が台部１４に接することにより、端子カバー４の更なる回転が規制される。つまり、本実施形態では、端子カバー４は、突出部４７（開閉規制部７）を有している。突出部４７は、爪４４（引掛部５）と回転軸４２との間に設けられて、筐体１に接することにより端子カバー４の移動範囲を規制する。また、開閉規制部７は、突出部４７を有している。突出部４７は、端子カバー４が閉位置にある状態において、端子カバー４における端子２と対向する面（カバー本体４１の図２における下面）から突出している。
【００３９】
機能部８は、リレーと、リレーの駆動回路と、制御部と、を備えている。リレーは、例えば電磁リレーであって、電源から電気機器（負荷）への電力の供給路に挿入されている。リレーは、駆動回路によって、供給路を開閉する。リレーのオン状態においては、供給路が閉じているため、電源から負荷へと電力が供給される。一方、リレーのオフ状態においては、供給路が開いているため、電源から負荷への電力の供給が停止する。つまり、リレーのオン／オフにより、電源から負荷への電力の供給状態が切り替わる。
【００４０】
制御部は、例えば、プロセッサ及びメモリを有するコンピュータ（マイクロコントローラを含む）で構成されている。つまり、制御部は、プロセッサ及びメモリを有するコンピュータシステムで実現されている。そして、プロセッサが適宜のプログラムを実行することにより、コンピュータシステムが制御部として機能する。プログラムは、メモリに予め記録されていてもよいし、インターネット等の電気通信回線を通じて、又はメモリカード等の非一時的な記録媒体に記録されて提供されてもよい。
【００４１】
制御部は、後述する複数の第１設定釦８１及び２つの第２設定釦８２を含む入力部にて設定されたパラメータにしたがって、駆動回路を制御することにより、リレーのオン／オフを制御する。ここでいう「パラメータ」は、リレーをオンにする時刻（時、分、及び秒を含み得る）及び曜日、並びにリレーをオフにする時刻及び曜日などである。つまり、制御部は、入力部にて設定された時刻に基づいて、電源から負荷への電力の供給状態を切り替える機能を有している。
【００４２】
その他、機能部８は、既に述べたように、複数の第１設定釦８１と、２つの第２設定釦８２と、表示部８３と、電源スイッチ８４と、を更に有している。
【００４３】
複数の第１設定釦８１は、例えばタクタイルスイッチであって、人の手の指で操作可能となっている。２つの第２設定釦８２は、例えばタクタイルスイッチであって、例えばペン等の人の手の指よりも細い治具を用いて操作可能となっている。これら複数の第１設定釦８１及び２つの第２設定釦８２は、上述のパラメータを設定するための入力を受け付ける入力部として機能する。
【００４４】
表示部８３は、例えば液晶ディスプレイである。表示部８３は、制御部に制御されることで、表示内容を変更するように構成されている。表示部８３には、例えば通常モードであれば、現在の時刻及び曜日などが表示される。また、表示部８３には、例えば設定モードであれば、入力部にて受け付けた入力内容（つまり、設定予定のパラメータ）などが表示される。ここでいう「通常モード」は、設定されたパラメータにしたがって制御部が駆動回路を制御するモードである。また、ここでいう「設定モード」は、タイムスイッチ１００のユーザにより、制御部でのパラメータを設定するモードである。
【００４５】
電源スイッチ８４は、例えばスライドスイッチであって、少なくとも動作状態と、停止状態と、を切り替えるために用いられる。ここでいう「動作状態」は、タイムスイッチ１００に電力を供給することで、タイムスイッチ１００が動作する状態である。また、ここでいう「停止状態」は、タイムスイッチ１００への電力の供給を止めることで、タイムスイッチ１００の動作が停止する状態である。
【００４６】
（３）端子カバーの使用方法
以下、本実施形態のタイムスイッチ１００における端子カバー４の使用方法について説明する。まず、端子カバー４が開位置にある状態において（図３Ｂ参照）、ユーザが各端子２に電線を接続した後に、端子カバー４を閉じる場合について説明する。この場合、ユーザは、端子カバー４を手に持ち、回転軸４２を中心として、端子カバー４を反時計回りに回転させる。これにより、端子カバー４は、開位置から閉位置へ向かって移動する。
【００４７】
このとき、爪４４（引掛部５）は、筐体１の台部１４に設けられた開口１５に前方から押し込まれる。すると、薄肉部１５１が爪４４の傾斜面４４６に接触する。そして、爪４４が後方に向かうにつれて、爪４４の傾斜面４４６が、薄肉部１５１により押されることで、爪４４が上向きに撓む。端子カバー４が開位置まで移動すると、爪４４の突片４４４が薄肉部１５１を乗り越えることで、傾斜面４４６が薄肉部１５１により押されなくなる。このため、爪４４が元の状態に復帰することで、突片４４４が薄肉部１５１に引っ掛かる（図４Ａ参照）。
【００４８】
これにより、ユーザが端子カバー４を手に持ち、時計回りに回転させようとしても（端子カバー４を閉位置から開位置へ移動させようとしても）、爪４４の突片４４４が薄肉部１５１に引っ掛かることで、端子カバー４の閉位置から開位置への移動が規制される。つまり、ユーザは、治具Ｂ１を用いて、爪４４による端子カバー４の閉位置から開位置への移動の規制を解除しない限り、端子カバー４を開くことができない。
【００４９】
次に、ユーザが端子カバー４を開く場合について説明する。この場合、ユーザは、まず治具Ｂ１を端子カバー４の開口４３に挿入する。すると、治具Ｂ１の先端が爪４４のテーパ４４５（案内部５１）に沿って後方へと移動することで、所定の操作位置（隙間Ｄ１）まで案内される。この状態において、ユーザが治具Ｂ１を用いて隙間Ｄ１を広げるようにして爪４４の第２片４４２を上方へと押すことで、爪４４は、第１片４４１の一端（前端）を軸として、全体が上向きに撓む。また、爪４４は、治具Ｂ１の先端に押されることにより、第１片４４１と第２片４４２との間の隙間を狭めるように撓む。これにより、爪４４の突片４４４が薄肉部１５１から離れることで、爪４４による端子カバー４の開位置への移動の規制が解除される。その後、ユーザは、治具Ｂ１を開口４３に差し込んだ状態で、端子カバー４と筐体１の台部１４との間にある隙間Ａ１に爪Ｃ１を差し込む（図４Ｃ参照）。そして、ユーザは、爪Ｃ１により操作部４６１に前向き（端子カバー４を時計回りに回転させる向き）の力を加えることで、端子カバー４を閉位置から開位置へと移動させる。
【００５０】
上述のように、本実施形態では、爪４４（引掛部５）を備えているので、端子カバー４を筐体１へねじ止めしなくとも、端子カバー４の開位置への移動を規制することができる。このため、本実施形態では、端子カバー４を開く際に、治具を用いてねじを取り外す必要がないため、ねじが端子カバー４から脱落するおそれもない。また、本実施形態では、開口４３（アクセス規制部６）を備えているので、引掛部５による規制の解除を人の手のみで行えないようになっている。このため、本実施形態では、端子カバー４を筐体１へねじ止めする構成と同様に、端子カバー４を開く際に治具Ｂ１を用いた作業を要するので、不用意に端子カバー４が開かれるのを防止することが可能である。つまり、本実施形態では、人の手のみで端子カバー４が開かれるのを規制しつつ、端子カバー４の筐体１へのねじ止めが不要になる、という利点がある。
【００５１】
また、本実施形態では、端子カバー４の開口４３に治具Ｂ１の挿入する向きと、端子カバー４を閉位置から開位置へと移動させる向きとが異なっている。つまり、本実施形態では、端子カバー４を開く際に、端子カバー４を閉位置から開位置へと移動させる向きとは異なる向きの動きをユーザに要求している。このため、本実施形態では、ユーザは正しい手順を踏まなければ端子カバー４を開くことができないので、不用意に端子カバー４が開かれるのを防止しやすく、ユーザの安全性を確保しやすい、という利点もある。
【００５２】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００５３】
（４．１）第１変形例
第１変形例のタイムスイッチ１００は、図５Ａ及び図５Ｂに示すように、筐体１の代わりに筐体１Ａ、及び端子カバー４の代わりに端子カバー４Ａを備えている点で、上述の実施形態のタイムスイッチ１００と相違する。そして、本変形例のタイムスイッチ１００は、端子カバー４に爪４４（引掛部５）を設ける代わりに筐体１Ａに爪１６（引掛部５）を設けている点で、上述の実施形態のタイムスイッチ１００と相違する。更に、本変形例のタイムスイッチ１００は、端子カバー４に開口４３（アクセス規制部６）を設ける代わりに筐体１Ａに開口１７（アクセス規制部６）を設けている点で、上述の実施形態のタイムスイッチ１００と相違する。
【００５４】
開口１７は、筐体１Ａの台部１４に設けられており、台部１４を厚さ方向（図５Ａにおける上下方向）に貫通している。開口１７は、上述の実施形態の開口４３と同様に、人の手の指が通らない寸法であって、かつ、治具Ｂ１が挿入可能な寸法に設定されている。
【００５５】
爪１６は、開口１７の内周縁（ここでは、前側の内壁）から筐体１Ａの内部へと突出している。爪１６の先端は、端子カバー４Ａに設けられたフック４８に引っ掛かる突片１６１となっている。フック４８は、端子カバー４Ａのカバー本体４１の端子２と対向する一面（図５Ａにおける後面）に一体に形成されている。
【００５６】
本変形例では、図５Ａに示すように、端子カバー４Ａが閉位置にある状態において、筐体１Ａの突片１６１が、端子カバー４Ａのフック４８に引っ掛かることにより、端子カバー４Ａの閉位置から開位置への移動が規制されている。また、本変形例では、図５Ｂに示すように、治具Ｂ１を筐体１Ａの開口１７に挿入し、治具Ｂ１により爪１６を押すことで、爪１６の突片１６１がフック４８から離れ、爪１６による端子カバー４Ａの開位置への移動の規制が解除される。
【００５７】
（４．２）第２変形例
第２変形例のタイムスイッチ１００は、図６に示すように、筐体１の代わりに筐体１Ｂ、及び端子カバー４の代わりに端子カバー４Ｂを備えている点で、上述の実施形態のタイムスイッチ１００と相違する。そして、本変形例のタイムスイッチ１００は、端子カバー４に爪４４（引掛部５）を設ける代わりに、筐体１Ｂにピン１８（引掛部５）を設けている点で、上述の実施形態のタイムスイッチ１００と相違する。更に、本変形例のタイムスイッチ１００は、端子カバー４に開口４３（アクセス規制部６）を設ける代わりに、端子カバー４Ｂに開口４３Ａ（アクセス規制部６）を設けている点で、上述の実施形態のタイムスイッチ１００と相違する。
【００５８】
ピン１８は、端子カバー４Ｂが閉位置にある状態において、端子カバー４Ｂと対向する筐体１Ｂの一面（図６における前面）に設けられている。ピン１８は、ピン本体１８１と、一対の弾性片１８２，１８３と、で構成されている。ピン本体１８１は、筐体１Ｂの上記一面から端子カバー４Ｂへ向かう向き（図６における前向き）に突出している。ピン本体１８１は、端子カバー４Ｂの開口４３Ａに挿入可能な寸法である。一対の弾性片１８２，１８３は、ピン本体１８１の長さ方向の一端（図６における前端）に一体に形成されている。一対の弾性片１８２，１８３は、いずれもピン本体１８１に接触する第１位置と、ピン本体１８１から離れた第２位置との間で撓むようになっている。
【００５９】
開口４３Ａは、端子カバー４Ｂを厚さ方向（図６における前後方向）に貫通している。開口４３Ａは、上述の実施形態の開口４３と同様に、人の手の指が通らない寸法であって、かつ、治具Ｂ１が挿入可能な寸法に設定されている。更に、開口４３Ａの内周縁には、周方向にわたって内向きに突出するリブ４３１が設けられている。開口４３Ａにおいて、リブ４３１で囲まれる孔は、一対の弾性片１８２，１８３が第１位置にある状態のピン１８が挿入可能な寸法に設定されている。
【００６０】
本変形例では、図６に示すように、端子カバー４Ｂが閉位置にある状態において、筐体１Ｂの一対の弾性片１８２，１８３が、端子カバー４Ｂのリブ４３１に引っ掛かることにより、端子カバー４Ｂの閉位置から開位置への移動が規制されている。また、本変形例では、例えば治具を開口４３Ａに挿入し、治具を用いて一対の弾性片１８２，１８３を挟むことにより、一対の弾性片１８２，１８３を第２位置から第１位置へと移動させることで、ピン１８をリブ４３１で囲まれる孔に挿入可能となる。つまり、本変形例では、治具を用いて一対の弾性片１８２，１８３を挟むことにより、ピン１８による端子カバー４Ｂの開位置への移動の規制が解除される。
【００６１】
（４．３）その他の変形例
以下、上記の第１変形例及び第２変形例以外の変形例を列挙する。以下の種々の変形例は、適宜組み合わせて適用可能である。
【００６２】
上述の実施形態では、爪４４（引掛部５）は１つであるが、複数であってもよい。この態様では、複数の爪４４にそれぞれ対応する複数の開口１５を筐体１の台部１４に設ければよい。
【００６３】
上述の実施形態では、操作部４６１に人の手の爪Ｃ１を引っ掛けるために、人の手の爪Ｃ１を挿入可能な隙間Ａ１を有しているが、これに限定する趣旨ではない。例えば、隙間Ａ１を有する代わりに、端子カバー４及び筐体１のうちの一方が窪みを有していてもよい。この態様でも、窪みに人の手の爪Ｃ１を挿入することで、操作部４６１に人の手の爪Ｃ１を引っ掛けることが可能である。
【００６４】
上述の実施形態では、端子カバー４は操作部４６１を有しているが、操作部４６１を有していなくてもよい。この場合、ユーザは、端子カバー４を開く際には、治具Ｂ１を開口４３に差し込んだ状態で、端子カバー４を直接手に持ち、閉位置から開位置へと移動させればよい。
【００６５】
上述の実施形態及び変形例では、配線器具１００はタイムスイッチ１００であるが、これに限定する趣旨ではない。例えば、配線器具１００は、端子台、コンセント、自動点滅器などのスイッチ装置、又はブレーカ等、端子２を端子カバー４で覆う構造を有していれば、上述の実施形態及び変形例を適用し得る。
【００６６】
上述の実施形態及び変形例において、端子カバー４，４Ａ，４Ｂは、それぞれ筐体１，１Ａ，１Ｂと組み合わさった配線器具１００として市場に流通するだけでなく、単体で市場に流通してもよい。つまり、端子カバー４，４Ａ，４Ｂは、カバー本体４１と、引掛部５と、アクセス規制部６と、を備える。カバー本体４１は、電線が接続される端子２を収容する筐体１に取り付けられて、回転軸４２を中心に回転することで、端子２を覆う閉位置と、端子２を露出させる開位置との間で移動可能である。引掛部５は、カバー本体４１が閉位置にある状態において筐体１に引っ掛かることで、カバー本体４１の開位置への移動を規制する。アクセス規制部６は、カバー本体４１が閉位置にある状態において、引掛部５への人の手のアクセスを規制する。
【００６７】
（まとめ）
以上述べたように、第１の態様に係る配線器具（１００）は、筐体（１，１Ａ，１Ｂ）と、端子カバー（４，４Ａ，４Ｂ）と、引掛部（５）と、アクセス規制部（６）と、を備える。筐体（１，１Ａ，１Ｂ）は、電線が接続される端子（２）を収容する。端子カバー（４，４Ａ，４Ｂ）は、筐体（１，１Ａ，１Ｂ）に取り付けられており、回転軸（４２）を中心に回転することで、端子（２）を覆う閉位置と、端子（２）を露出させる開位置との間で移動可能である。引掛部（５）は、筐体（１，１Ａ，１Ｂ）及び端子カバー（４，４Ａ，４Ｂ）のうちの一方に設けられている。引掛部（５）は、端子カバー（４，４Ａ，４Ｂ）が閉位置にある状態において筐体（１，１Ａ，１Ｂ）及び端子カバー（４，４Ａ，４Ｂ）のうちの他方に引っ掛かることで、端子カバー（４，４Ａ，４Ｂ）の開位置への移動を規制する。アクセス規制部（６）は、端子カバー（４，４Ａ，４Ｂ）が閉位置にある状態において、引掛部（５）への人の手のアクセスを規制する。
【００６８】
この態様によれば、人の手のみで端子カバー（４，４Ａ，４Ｂ）が開かれるのを規制しつつ、端子カバー（４，４Ａ，４Ｂ）の筐体（１，１Ａ，１Ｂ）へのねじ止めが不要になる、という利点がある。
【００６９】
第２の態様に係る配線器具（１００）では、第１の態様において、引掛部（５）は、回転軸（４２）と直交する方向において、端子カバー（４，４Ｂ）の両端部の間にある。
【００７０】
この態様によれば、端子カバー（４，４Ｂ）の端部に引掛部（５）がある場合と比較して、引掛部（５）への人の手のアクセスを規制しやすい、という利点がある。
【００７１】
第３の態様に係る配線器具（１００）では、第１又は第２の態様において、端子カバー（４，４Ａ，４Ｂ）は、開閉規制部（７）を有する。開閉規制部（７）は、引掛部（５）と回転軸（４２）との間に設けられて、筐体（１）に接することにより端子カバー（４，４Ａ，４Ｂ）の移動範囲を規制する。
【００７２】
この態様によれば、端子カバー（４，４Ａ，４Ｂ）が筐体（１）へ過度に接近するのを防止することで、端子カバー（４，４Ａ，４Ｂ）に過大な応力が掛かるのを防ぎやすい、という利点がある。
【００７３】
第４の態様に係る配線器具（１００）では、第３の態様において、開閉規制部（７）は、突出部（４７）を有する。突出部（４７）は、端子カバー（４，４Ａ，４Ｂ）が閉位置にある状態において、端子カバー（４，４Ａ，４Ｂ）における端子（２）と対向する面から突出する。
【００７４】
この態様によれば、簡易な構成により、端子カバー（４，４Ａ，４Ｂ）の移動範囲を規制することができる、という利点がある。
【００７５】
第５の態様に係る配線器具（１００）では、第１〜第４のいずれかの態様において、アクセス規制部（６）は、開口（１７，４３，４３Ａ）を含む。開口（１７，４３，４３Ａ）は、筐体（１）及び端子カバー（４，４Ａ，４Ｂ）のうちの一方に設けられて、端子カバー（４，４Ａ，４Ｂ）が閉位置にある状態において、引掛部（５）に対応する位置に形成されている。開口（１７，４３，４３Ａ）は、端子カバー（４，４Ａ，４Ｂ）の開位置への移動の規制を解除するように引掛部（５）を操作するための治具（Ｂ１）が挿入可能な寸法である。
【００７６】
この態様によれば、開口（１７，４３，４３Ａ）に治具（Ｂ１）を挿入するという簡易な操作により、引掛部（５）による規制を解除することができる、という利点がある。
【００７７】
第６の態様に係る配線器具（１００）では、第５の態様において、引掛部（５）は、開口（１７，４３，４３Ａ）から挿入された治具（Ｂ１）を所定の操作位置へと案内する案内部（５１）を有する。
【００７８】
この態様によれば、治具（Ｂ１）を開口（１７，４３，４３Ａ）に挿入した際に、引っ掛かりを生じさせることなく治具（Ｂ１）を所定の操作位置へと導きやすい、という利点がある。
【００７９】
第７の態様に係る配線器具（１００）では、第１〜第６のいずれかの態様において、端子カバー（４，４Ａ，４Ｂ）は、筐体（１）と対向する部位に設けられて、人の手の爪（Ｃ１）が引っ掛かる操作部（４６１）を有する。
【００８０】
この態様によれば、引掛部（５）による規制を解除した状態で、端子カバー（４，４Ａ，４Ｂ）を閉位置から開位置へと移動させやすくなる、という利点がある。
【００８１】
第８の態様に係るタイムスイッチ（１００）は、第１〜第７のいずれかの態様の配線器具（１００）であって、設定された時刻に基づいて電源から負荷への電力の供給状態を切り替える機能を備える。
【００８２】
この態様によれば、人の手のみで端子カバー（４，４Ａ，４Ｂ）が開かれるのを規制しつつ、端子カバー（４，４Ａ，４Ｂ）の筐体（１，１Ａ，１Ｂ）へのねじ止めが不要になる、という利点がある。
【００８３】
第９の態様に係る端子カバー（４，４Ａ，４Ｂ）は、カバー本体（４１）と、引掛部（５）と、アクセス規制部（６）と、を備える。カバー本体（４１）は、電線が接続される端子（２）を収容する筐体（１）に取り付けられて、回転軸（４２）を中心に回転することで、端子（２）を覆う閉位置と、端子（２）を露出させる開位置との間で移動可能である。引掛部（５）は、カバー本体（４１）が閉位置にある状態において筐体（１）に引っ掛かることで、カバー本体（４１）の開位置への移動を規制する。アクセス規制部（６）は、カバー本体（４１）が閉位置にある状態において、引掛部（５）への人の手のアクセスを規制する。
【００８４】
この態様によれば、人の手のみで端子カバー（４，４Ａ，４Ｂ）が開かれるのを規制しつつ、端子カバー（４，４Ａ，４Ｂ）の筐体（１，１Ａ，１Ｂ）へのねじ止めが不要になる、という利点がある。
【００８５】
第２〜第７の態様に係る構成は、配線器具（１００）に必須の構成ではなく、適宜省略可能である。
【符号の説明】
【００８６】
１００  タイムスイッチ（配線器具）
１，１Ａ，１Ｂ  筐体
１７  開口
２  端子
４，４Ａ，４Ｂ  端子カバー
４１  カバー本体
４２  回転軸
４３，４３Ａ  開口
４６１  操作部
４７  突出部
５  引掛部
５１  案内部
６  アクセス規制部
７  開閉規制部
Ｂ１  治具
Ｃ１  人の手の爪
【図１】
2020009642.tif 000003
【図２】
2020009642.tif 000004
【図３】
2020009642.tif 000005
【図４】
2020009642.tif 000006
【図５】
2020009642.tif 000007
【図６】
2020009642.tif 000008